(57)【要約】【課題】複雑な構造を要することなく筐体の開封を検知し得る情報端末装置を提供する。【解決手段】メイン電池３０を収容可能な電池収容部４０を有する裏側ケース１１ａと制御基板２０が固定される表側ケース１１ｂが組み付けられて筐体１１が構成されている。また、収容したメイン電池３０に覆われる電池収容部４０の底壁４５には２つの締結用貫通孔４５ａが形成されており、裏側ケース１１ａおよび表側ケース１１ｂは両締結用貫通孔４５ａを挿通するねじ６０等により締結されている。そして、メイン電池３０の電池側コネクタ３２と制御基板２０の基板側コネクタ２４との接続の解除を検知することにより、裏側ケース１１ａと表側ケース１１ｂとが分離される筐体１１の開封を検知する。【選択図】図１
2010039823.tif 000002
【特許請求の範囲】
【請求項１】
取得した取得情報を制御するための制御回路を有する制御基板と、
電源ケーブルおよびこの電源ケーブルに取り付けられる電池側コネクタと、前記制御基板に固定されて前記電池側コネクタに接続される基板側コネクタとを介して当該制御基板に電力を供給する電池と、
前記電池を収容可能な電池収容部を有する第１ケースおよび前記制御基板が固定される第２ケースが組み付けられて構成される筐体と、
を備える情報端末装置であって、
収容した前記電池に覆われる前記電池収容部の底壁または側壁には締結用貫通孔が形成されており、
前記第１ケースおよび前記第２ケースは前記締結用貫通孔を挿通する締結部材により締結されており、
前記電池側コネクタおよび前記基板側コネクタの接続の解除を検知することにより、前記第１ケースと前記第２ケースとが分離される前記筐体の開封を検知することを特徴とする情報端末装置。
【請求項２】
前記電池収容部には、前記第１ケースと前記第２ケースとを分離する際に、前記電池側コネクタと前記基板側コネクタとが接続された前記電源ケーブルの一部を分離方向に押圧する押圧部が形成されていることを特徴とする請求項１に記載の情報端末装置。
【請求項３】
前記制御回路により制御される前記取得情報を記憶する記憶手段と、
前記制御回路に所定の情報を入力するための入力手段と、を備え、
前記筐体の開封時に入力すべき入力情報が前記入力手段により入力されずに前記筐体の開封が検知される場合には、前記記憶手段に記憶された前記取得情報の少なくとも一部を消去することを特徴とする請求項１または２に記載の情報端末装置。
【発明の詳細な説明】
【技術分野】
【０００１】
本発明は、筐体の不正開封を検知し得る機能を有する情報端末装置に関するものである。
【背景技術】
【０００２】
従来より、筐体の不正開封を検知し得る機能を有する情報端末装置として、下記特許文献１に示す端末装置が知られている。この端末装置では、制御基板が固定される筐体上ケースと筐体下ケースとにより筐体が構成されている。制御基板の筐体下ケース側にはスイッチが設けられており、筐体下ケースの底壁には所定の配線パターンが設けられたプラスチックシートが貼り付けられている。そして、筐体上ケースと筐体下ケースとを組み付けると、制御基板のスイッチの端子と筐体下ケースの底壁の配線とが接続されて閉回路が構成される。
【０００３】
そして、不正開封のために筐体上ケースと筐体下ケースとが分離されると、スイッチの端子と配線との接続が断たれて上記閉回路が切断されるので、この閉回路の切断状態を検知することにより、不正開封を検知している。このように不正開封が検知されると、不正使用を防止するために記憶手段内のデータが消去される。
【特許文献１】特開２００１−２４２９５１号公報
【発明の開示】
【発明が解決しようとする課題】
【０００４】
しかしながら、上述のような閉回路を構成するための配線パターンおよびスイッチを、筐体下ケースおよび筐体上ケースにそれぞれ設ける必要があり、構造が複雑になるという問題がある。
【０００５】
本発明は、上述した課題を解決するためになされたものであり、その目的とするところは、複雑な構造を要することなく筐体の開封を検知し得る情報端末装置を提供することにある。
【課題を解決するための手段】
【０００６】
上記目的を達成するため、特許請求の範囲に記載の請求項１の情報端末装置では、取得した取得情報を制御するための制御回路（２１）を有する制御基板（２０）と、電源ケーブル（３１）およびこの電源ケーブルに取り付けられる電池側コネクタ（３２）と、前記制御基板に固定されて前記電池側コネクタに接続される基板側コネクタ（２４）とを介して当該制御基板に電力を供給する電池（３０）と、前記電池を収容可能な電池収容部（４０）を有する第１ケース（１１ａ）および前記制御基板が固定される第２ケース（１１ｂ）が組み付けられて構成される筐体（１１）と、を備える情報端末装置（１０）であって、収容した前記電池に覆われる前記電池収容部の底壁（４５）または側壁（４１〜４４）には締結用貫通孔（４５ａ）が形成されており、前記第１ケースおよび前記第２ケースは前記締結用貫通孔を挿通する締結部材（６０）により締結されており、前記電池側コネクタおよび前記基板側コネクタの接続の解除を検知することにより、前記第１ケースと前記第２ケースとが分離される前記筐体の開封を検知することを技術的特徴とする。
【発明の効果】
【０００７】
請求項１の発明では、電池を収容可能な電池収容部を有する第１ケースと制御基板が固定される第２ケースが組み付けられて情報端末装置の筐体が構成されている。また、収容した電池に覆われる電池収容部の底壁または側壁には締結用貫通孔が形成されており、第１ケースおよび第２ケースは締結用貫通孔を挿通する締結部材により締結されている。そして、電池側コネクタおよび基板側コネクタの接続の解除を検知することにより、第１ケースと第２ケースとが分離される筐体の開封を検知する。
【０００８】
筐体を開封する目的で第１ケースおよび第２ケースを分離するためには、締結用貫通孔を挿通して締結されている締結部材を取り除く必要がある。この締結部材を取り除くためには電池を電池収容部から取り出す必要があり、この取り出し作業により電池側コネクタおよび基板側コネクタの接続が解除されることとなる。このため、電池側コネクタおよび基板側コネクタの接続の解除を検出することにより、複雑な構造を要することなく筐体の開封を検知することができる。
【０００９】
特に、電源ケーブルおよびコネクタ付きの電池では、一般に、電池を取り外して電池単体で充電することが考慮されていないため、電池側コネクタおよび基板側コネクタの接続が解除されるときは、数年に１回程度の電池交換の場合を除き、筐体が開封されるときと判断することができる。
【００１０】
請求項２の発明では、電池収容部には、第１ケースと第２ケースとを分離する際に、電池側コネクタと基板側コネクタとが接続された電源ケーブルの一部を分離方向に押圧する押圧部が形成されている。
【００１１】
これにより、第１ケースと第２ケースとを分離する場合には、電源ケーブルの一部が電池収容部の押圧部により分離方向に押圧されるように引っ張られるため、電池側コネクタおよび基板側コネクタの接続が確実に解除される。したがって、筐体が開封されるためには確実に電池側コネクタおよび基板側コネクタの接続が解除される構造にすることができる。
【００１２】
請求項３の発明では、制御回路により制御される取得情報を記憶する記憶手段と、制御回路に所定の情報を入力するための入力手段とが設けられている。そして、筐体の開封時に入力すべき入力情報が入力手段により入力されずに筐体の開封が検知される場合には、記憶手段に記憶された取得情報の少なくとも一部を消去する。
【００１３】
記憶手段に記憶される取得情報を不正の目的をもって取得するために筐体を開封する場合があり、この場合には、記憶されている取得情報を一部または全部消去する必要がある。そこで、正常な開封時には、予め決められた入力すべき入力情報として、例えば、入力キーによる所定の操作等を予め設定する。これにより、筐体の開封を検知したときに、入力手段により開封時に入力すべき入力情報が入力されている場合には正常な開封であると判断し、開封時に入力すべき入力情報が入力されない場合には不正な開封であると判断して記憶された取得情報の少なくとも一部を消去する。
したがって、不正の目的による筐体の開封が検知された場合には、記憶手段に記憶された取得情報を消去することにより、取得情報の不正使用を確実に防止することができる。
【発明を実施するための最良の形態】
【００１４】
以下、本発明の情報端末装置をバーコードリーダに適用した一実施形態について図を参照して説明する。まず、本実施形態に係るバーコードリーダ１０の構成概要を図１および図２に基づいて説明する。図１は、本実施形態に係るバーコードリーダ１０の構成概要を示す図であり、図１（Ａ）は背面図、図１（Ｂ）は一部断面で示す側面図である。図２は、バーコードリーダ１０の不正開封検知処理に関する電気的構成を示すブロック図である。
【００１５】
図１（Ａ），（Ｂ）に示すように、バーコードリーダ１０は、裏側ケース１１ａおよび表側ケース１１ｂからなる筐体１１内に制御基板２０等の各種電気部品と、各種電気部品の電源として機能するメイン電池３０とが収容されるように構成されている。この筐体１１内の電気的構成は、公知のコードリーダ（バーコードリーダ、二次元コードリーダ等）とほぼ同様の構成とすることができる。なお、メイン電池３０は、例えば、リチウムイオン電池、ニッケル水素電池、ニッケルカドミウム電池等の充放電可能な二次電池によって構成されている。
【００１６】
表側ケース１１ｂの内面側には、制御基板２０が固定されており、この制御基板２０の電池側端部には、メイン電池３０からの電力が供給されるための基板側コネクタ２４が設けられている。また、表側ケース１１ｂの表面には、複数の操作キー１２が配置されており、各操作キー１２を操作することにより、この操作に応じた所定の情報が制御基板２０の主制御回路２１に入力される。
【００１７】
裏側ケース１１ａには、メイン電池３０を収容可能な電池収容部４０が形成されている。電池収容部４０は、図１（Ａ），（Ｂ）に示すように、一方が開口する箱状形態をなしており、メイン電池３０の四方を取り囲む側壁４１、４２、４３、４４と、メイン電池３０の一方面を支持する底壁４５とを備えている。
【００１８】
また、側壁４１には、電池収容部４０に収容されたメイン電池３０の電源ケーブル３１に対して底壁４５側から近接するように半円状に形成される切欠部４１ａが設けられている。また、電池収容部４０の開口部は、裏側ケース１１ａに対して着脱可能に形成された電池蓋５０によって閉塞され得る構成となっている。
【００１９】
図１（Ａ），（Ｂ）に示すように、収容したメイン電池３０に覆われる電池収容部４０の底壁４５には、２つの締結用貫通孔４５ａが形成されている。電池収容部４０の底壁４５が両締結用貫通孔４５ａを挿通するねじ６０により表側ケース１１ｂの被締結部１３に締結されるとともに、裏側ケース１１ａおよび表側ケース１１ｂのそれぞれの所定の締結部が図略のねじ等により締結されることにより、裏側ケース１１ａおよび表側ケース１１ｂが組み付けられて筐体１１が構成される。
【００２０】
裏側ケース１１ａと表側ケース１１ｂとを組み付けた後、電池収容部４０にメイン電池３０を収容する際、メイン電池３０の電源ケーブル３１の先端の電池側コネクタ３２と制御基板２０の基板側コネクタ２４とを電気的に接続する。これにより、メイン電池３０から電源ケーブル３１および両コネクタ３２，２４を介して制御基板２０の主制御回路２１等に所定の電圧Ｖ１が出力される。
【００２１】
上述のように構成されるバーコードリーダ１０では、筐体１１を開封する目的で裏側ケース１１ａおよび表側ケース１１ｂを分離するためには、電池収容部４０の底壁４５の両締結用貫通孔４５ａを挿通して締結されるねじ６０をそれぞれ取り除く必要がある。これら両ねじ６０を取り除くためにはメイン電池３０を電池収容部４０から取り出す必要があり、この取り出し作業により電池側コネクタ３２および基板側コネクタ２４の接続が解除されることとなる。また、両コネクタ３２，２４の接続を解除せずにねじ６０を取り外し裏側ケース１１ａおよび表側ケース１１ｂを分離しようとしても、メイン電池３０の電源ケーブル３１の一部が電池収容部４０の切欠部４１ａにより分離方向（図１（Ｂ）にて上下方向）に押圧されるように引っ張られるため、両コネクタ３２，２４の接続が解除されてしまう。また、一般に、電源ケーブルおよびコネクタ付きの電池では、電池を取り外して電池単体で充電することが考慮されていないため、両コネクタ３２，２４の接続が解除されるときは、数年に１回程度の電池交換の場合を除き、筐体１１が開封されるときと判断することができる。すなわち、裏側ケース１１ａと表側ケース１１ｂとを分離して筐体１１を開封する場合には、電池側コネクタ３２および基板側コネクタ２４の接続が確実に解除されることとなる。
【００２２】
次に、バーコードリーダ１０の不正開封検知処理に関する電気的構成について、図２を用いて説明する。なお、図２では、図面表現の便宜上、メイン電池３０から電源ケーブル３１を介さずに電圧Ｖ１が出力されるように図示されている。
【００２３】
図２に示すように、制御基板２０には、主に、主制御回路２１と、電池側コネクタ３２および基板側コネクタ２４の接続状態を検知可能な接続状態検知回路２２と、個人情報等の所定の情報が記憶される記憶装置２５に対してその所定の情報を消去可能な消去用制御回路２３とが配置されている。そして、各回路２１〜２３には、メイン電池３０から所定の電圧Ｖ１が出力されている。なお、記憶装置２５は、表側ケース１１ｂの内面側であって制御基板２０近傍に取り付けられている。
【００２４】
主制御回路２１は、操作キー１２等の操作に応じて外部の情報を取得しこの取得情報を制御して記憶装置２５に記憶する情報処理に関する機能を有する。また、主制御回路２１は、筐体１１が不正開封されたか否かを検知するとともに不正開封時には記憶装置２５に記憶される取得情報を消去する不正開封検知処理に関する機能を有する。
【００２５】
接続状態検知回路２２は、メイン電池３０から基板側コネクタ２４を介して出力される電圧を検出しこの電圧が所定値以下になると両コネクタ３２，２４の接続の解除されたことを検知して接続解除検知信号を主制御回路２１に出力する。
【００２６】
消去用制御回路２３は、主制御回路２１から出力される消去指示信号に基づいて、記憶装置２５に記憶される所定の情報を消去する。
【００２７】
また、バーコードリーダ１０は、メイン電池３０とは異なるサブ電池３３を備えており、このサブ電池３３は、メイン電池３０から主制御回路２１、接続状態検知回路２２および消去用制御回路２３への電圧の出力が停止されると、これら各回路２１〜２３へ所定の電圧Ｖ２を出力するように構成されている。なお、このサブ電池３３は、通常、図略の充電回路によりメイン電池３０を電源として充電状態にある。
【００２８】
次に、主制御回路２１による不正開封検知処理について、図３のフローチャートを参照して説明する。図３は、主制御回路２１による不正開封検知処理の流れを例示するフローチャートである。
【００２９】
まず、図３のステップＳ１０１において、フラグＦが０に設定される。このフラグＦは、後述する開封用操作が実施されたか否かを判定するためのフラグであり、フラグＦ＝０は、開封用操作が実施されない状態を示し、フラグＦ＝１は、開封用操作が実施された状態を示す。
【００３０】
次に、ステップＳ１０３において、開封用操作が実施されたか否かについて判定される。開封用操作とは、筐体１１の開封時に入力すべき入力情報として予め設定される各操作キー１２の操作であり、例えば、ある１つの操作キー１２の長押し操作、または、第１の操作キーの押動操作後の第２の操作キーの押動操作などが挙げられる。ここで、上記開封用操作が実施されていない場合には、ステップＳ１０３にてＮｏと判定される。
【００３１】
ステップＳ１０３にてＮｏと判定されると、ステップＳ１０７において、接続解除検知信号が入力されたか否かについて判定される。ここで、電池側コネクタ３２および基板側コネクタ２４の接続が解除されておらず、接続状態検知回路２２から接続解除検知信号が入力されていない場合には（Ｓ１０７でＮｏ）、上記ステップＳ１０３からの処理が繰り返される。
【００３２】
ステップＳ１０７におけるＮｏとの繰り返し判定中に、筐体１１を不正に開封するために上記開封用操作を実施することなく電池側コネクタ３２および基板側コネクタ２４の接続が解除されると、接続状態検知回路２２から接続解除検知信号が入力され、ステップＳ１０７にてＹｅｓと判定される。なお、両コネクタ３２，２４の接続が解除されてメイン電池３０から主制御回路２１等への電圧の出力が停止されると、サブ電池３３により所定の電圧Ｖ２が主制御回路２１等へ出力される。
【００３３】
次に、ステップＳ１０９にて、フラグＦ＝１か否かについて判定される。この段階では、上記開封用操作が実施されておらずフラグＦ＝０に設定されているので、ステップＳ１０９にてＮｏと判定されて、ステップＳ１１１における情報消去処理がなされる。この処理では、消去指示信号が消去用制御回路２３に出力され、この消去用制御回路２３により記憶装置２５に記憶される全ての取得情報が消去される。なお、消去用制御回路２３は、消去指示信号に応じて記憶装置２５に記憶される全ての取得情報を消去することに限らず、一部の所定の取得情報のみ消去するようにしてもよい。
【００３４】
このように上記開封用操作が実施されない不正開封を検知した場合には、不正使用を防止するために記憶装置２５の取得情報を消去することができる。そして、この消去処理により不正開封検知処理を終了する。
【００３５】
一方、ステップＳ１０３において、正常な開封であり、上記開封用操作が実施されると（Ｓ１０３でＹｅｓ）、ステップＳ１０５にて、開封用操作が実施された状態を示すフラグＦ＝１に設定される。そして、ステップＳ１０７におけるＮｏとの繰り返し判定中に、筐体１１を正常に開封するために電池側コネクタ３２および基板側コネクタ２４の接続が解除されると（Ｓ１０７でＹｅｓ）、ステップＳ１０９にてＹｅｓと判定されて上記ステップＳ１１１における情報消去処理を行うことなく不正開封検知処理を終了する。
【００３６】
以上説明したように、本実施形態に係るバーコードリーダ１０では、メイン電池３０を収容可能な電池収容部４０を有する裏側ケース１１ａと制御基板２０が固定される表側ケース１１ｂが組み付けられて筐体１１が構成されている。また、収容したメイン電池３０に覆われる電池収容部４０の底壁４５には２つの締結用貫通孔４５ａが形成されており、裏側ケース１１ａおよび表側ケース１１ｂは両締結用貫通孔４５ａを挿通するねじ６０等により締結されている。そして、メイン電池３０の電池側コネクタ３２と制御基板２０の基板側コネクタ２４との接続の解除を検知することにより、裏側ケース１１ａと表側ケース１１ｂとが分離される筐体１１の開封を検知する。
【００３７】
筐体１１を開封する目的で裏側ケース１１ａおよび表側ケース１１ｂを分離するためには、電池側コネクタ３２および基板側コネクタ２４の接続が解除されるので、両コネクタ３２，２４の接続の解除を検出することにより、複雑な構造を要することなく筐体１１の開封を検知することができる。
【００３８】
特に、電源ケーブルおよびコネクタ付きの電池では、一般に、電池を取り外して電池単体で充電することが考慮されていないため、電池側コネクタ３２および基板側コネクタ２４の接続が解除されるときは、数年に１回程度のメイン電池３０の電池交換の場合を除き、筐体１１が開封されるときと判断することができる。
【００３９】
また、本実施形態に係るバーコードリーダ１０では、電池収容部４０には、裏側ケース１１ａと表側ケース１１ｂとを分離する際に、電池側コネクタ３２と基板側コネクタ２４とが接続された電源ケーブル３１の一部を分離方向に押圧する押圧部として切欠部４１ａが形成されている。
【００４０】
これにより、裏側ケース１１ａと表側ケース１１ｂとを分離する場合には、電源ケーブル３１の一部が電池収容部４０の切欠部４１ａにより分離方向に押圧されるように引っ張られるため、電池側コネクタ３２および基板側コネクタ２４の接続が確実に解除される。したがって、筐体１１が開封されるためには確実に電池側コネクタ３２および基板側コネクタ２４の接続が解除される構造にすることができる。
【００４１】
さらに、本実施形態に係るバーコードリーダ１０では、主制御回路２１により制御される取得情報を記憶する記憶装置２５と、主制御回路２１に所定の情報を入力するための複数の操作キー１２とが設けられている。そして、筐体１１の開封時に入力すべき入力情報が操作キー１２により入力されずに筐体１１の開封が検知される場合には、記憶装置２５に記憶された取得情報を消去する。
【００４２】
筐体１１の開封を検知したときに、操作キー１２により開封時に入力すべき入力情報が入力されている場合には正常な開封であると判断され、開封時に入力すべき入力情報が入力されない場合には不正な開封であると判断して記憶装置２５に記憶された取得情報が消去される。これにより、不正の目的による筐体１１の開封が検知された場合には、記憶装置２５に記憶された取得情報が消去されるので、取得情報の不正使用を確実に防止することができる。
【００４３】
なお、本発明は上記実施形態に限定されるものではなく、以下のように具体化してもよく、その場合でも、上記実施形態と同等の作用・効果が得られる。
（１）締結用貫通孔４５ａは、底壁４５に形成されることに限らず、電池収容部４０に収容したメイン電池３０に覆われる側壁４１、４２、４３、４４のいずれかに形成されてもよい。この場合、その締結用貫通孔４５ａを貫通するねじ６０等により裏側ケース１１ａおよび表側ケース１１ｂが組み付けられて筐体１１が構成される。このように構成しても、裏側ケース１１ａと表側ケース１１ｂとを分離して筐体１１を開封する場合にはメイン電池３０を電池収容部４０から取り出す必要があり、上述のごとく、電池側コネクタ３２および基板側コネクタ２４の接続が確実に解除されることとなる。
【００４４】
（２）図４は、メイン電池３０の変形例を示す説明図である。
図４に示すように、メイン電池３０が素電池３６とこの素電池３６のための保護回路３７とから構成される場合には、接続状態検知回路２２は、素電池３６の電圧を検出しこの電圧が所定値以下になると、電池側コネクタ３２および基板側コネクタ２４の接続が解除されたことを検知してもよい。これにより、メイン電池３０の過放電等により保護回路３７が作動して保護回路３７を介して主制御回路２１等に出力される電圧Ｖ１が上記所定値以下になる場合でも、誤って両コネクタ３２，２４の接続の解除を検知することもない。
【００４５】
（３）接続状態検知回路２２は、電池側コネクタ３２および基板側コネクタ２４が接続状態であるときに両コネクタ３２，２４の所定の接触部位同士における接触状態を検知する接触センサを採用し、この接触センサにて検知される接触状態に基づいて、両コネクタ３２，２４の接続の解除を検知してもよい。
【００４６】
（４）切欠部４１ａは、電池収容部４０に収容されたメイン電池３０の電源ケーブル３１に対して底壁４５側から近接するように、半円状に形成されることに限らず、例えば、段差状に形成されてもよいし、一部突起状に形成されてもよい。このように切欠部４１ａを形成しても、裏側ケース１１ａおよび表側ケース１１ｂを分離の際に、メイン電池３０の電源ケーブル３１の一部が当該切欠部４１ａにより分離方向に押圧されるように引っ張られて、両コネクタ３２，２４の接続が解除され得る。
【図面の簡単な説明】
【００４７】
【図１】本実施形態に係るバーコードリーダの構成概要を示す図であり、図１（Ａ）は背面図、図１（Ｂ）は一部断面で示す側面図である。
【図２】バーコードリーダの不正開封検知処理に関する電気的構成を示すブロック図である。
【図３】主制御回路による不正開封検知処理の流れを例示するフローチャートである。
【図４】メイン電池の変形例を示す説明図である。
【符号の説明】
【００４８】
１０…バーコードリーダ（情報端末装置）
１１…筐体
１１ａ…裏側ケース（第１ケース）
１１ｂ…表側ケース（第２ケース）
１２…操作キー（入力手段）
２０…制御基板
２１…主制御回路（制御回路）
２２…接続状態検知回路
２３…消去用制御回路
２４…基板側コネクタ
２５…記憶装置（記憶手段）
３０…メイン電池（電池）
３１…電源ケーブル
３２…電源側コネクタ
４０…電池収容部
４１〜４４…側壁
４１ａ…切欠部（押圧部）
４５…底壁
４５ａ…締結用貫通孔
６０…ねじ（締結部材）
【図１】
2010039823.tif 000003
【図２】
2010039823.tif 000004
【図３】
2010039823.tif 000005
【図４】
2010039823.tif 000006